(57)【要約】【課題】既存の外熱式ロータリーキルンの設備を利用して、内筒の外表面へのダストの付着を抑制し、また、内筒の外表面の付着物等を除去する。【解決手段】ロータリーキルンの連続する定常運転の間に内筒の外表面の付着物及び／又は堆積物を除去するためのリフレッシュ運転を行い、そのリフレッシュ運転において、リフレッシュ運転において、加熱流路のガス出口の高温ガスのノルマル流量を定常運転時の値又はその値から所定の範囲内に維持しながら、定常運転時に加熱流路を流れる高温ガスよりも温度が高く且つダスト濃度が低いフレッシュガスを、所定のリフレッシュ時間に亘って加熱流路へ流す。【選択図】図２
2018194275.tif 000002
【特許請求の範囲】
【請求項１】
同心状に配置された内筒と外筒とを有し、前記内筒と前記外筒の間に形成された加熱流路を流れる高温ガスによって前記内筒内を通過する被処理物が間接的に加熱されて熱分解ガスと熱分解残渣とに熱分解し、前記熱分解ガスを燃焼炉で燃焼して生じたガスが前記高温ガスとして前記加熱流路に供給される、ロータリーキルンの運転方法であって、
前記ロータリーキルンの連続する定常運転の間に前記内筒の外表面の付着物及び／又は堆積物を除去するためのリフレッシュ運転を行い、
前記リフレッシュ運転において、前記加熱流路のガス出口の前記高温ガスのノルマル流量を前記定常運転時の値又はその値から所定の範囲内に維持しながら、前記定常運転時に前記加熱流路を流れる前記高温ガスよりも温度が高く且つダスト濃度が低いフレッシュガスを、所定のリフレッシュ時間に亘って前記加熱流路へ流す、
ロータリーキルンの運転方法。
【請求項２】
前記リフレッシュ運転において、
前記加熱流路のガス出口の前記高温ガスのノルマル流量、及び、前記加熱流路のガス入口の前記高温ガスの温度を前記定常運転時の値又はその値から所定の範囲内に維持しながら、前記ロータリーキルンへの前記被処理物の供給を中断し、
前記被処理物の供給を中断してから前記被処理物の前記ロータリーキルンにおける滞留時間が経過し、更に、所定のリフレッシュ時間が経過してから、前記被処理物の供給を再開する、
請求項１に記載のロータリーキルンの運転方法。
【請求項３】
同心状に配置された内筒と外筒とを有し、前記内筒と前記外筒の間に高温ガスが流れる加熱流路が形成された炉本体と、
前記内筒内へ被処理物を供給する供給装置と、
前記炉本体で前記被処理物の熱分解により生じた熱分解ガスを、燃焼炉へ燃料として送る熱分解ガスラインと、
前記燃焼炉で生じた燃焼ガスを前記高温ガスとして前記加熱流路のガス入口へ送る高温ガス供給ラインと、
前記加熱流路のガス入口へ供給される前記高温ガスの温度を検出する入口温度センサと、
前記加熱流路のガス入口へ供給される前記高温ガスの温度を調整する温度調整装置と、
前記加熱流路のガス出口から排出される前記高温ガスの温度を検出する出口温度センサと、
前記加熱流路のガス出口から排出される前記高温ガスの流量を検出する流量センサと、
前記加熱流路のガス出口から前記高温ガスを強制排気するファンと、
前記供給装置、前記温度調整装置、及び前記ファンの動作を制御するコントローラとを備え、
前記コントローラは、連続する定常運転の間に前記内筒の外表面の付着物及び／又は堆積物を除去するためのリフレッシュ運転を行い、前記リフレッシュ運転において、前記加熱流路のガス出口の前記高温ガスのノルマル流量が前記定常運転時の値又はその値から所定の範囲内を維持するように前記出口温度センサ及び前記流量センサの検出値に基づいて前記ファンを動作させ、前記加熱流路のガス入口の前記高温ガスの温度が前記定常運転時の値を維持するように前記入口温度センサの検出値に基づいて前記温度調整装置を動作させ、前記炉本体への前記被処理物の供給を中断し、前記被処理物の供給を中断してから前記被処理物の前記炉本体における滞留時間が経過し、更に、所定のリフレッシュ時間が経過してから、前記被処理物の供給を再開するように前記供給装置を動作させる、
ロータリーキルン。
【発明の詳細な説明】
【技術分野】
【０００１】
本発明は、外熱式ロータリーキルン及びその運転方法に関する。
【背景技術】
【０００２】
従来から、外熱式のロータリーキルンが知られている。特許文献１は、この種のロータリーキルンを開示する。
【０００３】
特許文献１のロータリーキルン（炭化炉）は、横置きに設置された外筒内に、当該外筒と同心円状に挿入された内筒（キルンシェル）を備えている。このロータリーキルンでは、内筒に被処理物（乾燥汚泥）を投入して当該内筒を回転させながら、外筒と内筒の間に形成された加熱流路に導入された高温ガスで内筒内の被処理物を間接加熱して低酸素雰囲気で熱分解させることにより、被処理物から可燃性の熱分解ガスと炭化物とを生成する。
【０００４】
上記のような外熱式ロータリーキルンにおいては、ロータリーキルンから発生する熱分解ガスを燃焼炉で燃焼し、その排ガスの一部をロータリーキルンの熱源（高温ガス）として利用することにより、排熱を有効に利用することが行われている。しかしながら、燃焼炉の排ガスには灰や塵などのダストが同伴しており、この排ガスがロータリーキルンの加熱流路に供給されると、内筒の外表面にダストが付着・堆積し、この付着物及び／又は堆積物（以下、「付着物等」と称する）によって内筒の伝熱性能が低下し、その結果、ロータリーキルンの熱効率を低下させることが問題となっている。
【０００５】
この問題に対し、特許文献１では、外筒に空気噴出ノズルを設置し、内筒の外表面のダストの付着量が一定量を超えたときに、空気噴出ノズルから内筒の外表面へ向けて圧縮空気を噴出するようにしている。
【先行技術文献】
【特許文献】
【０００６】
【特許文献１】特開２００８−１９６７３５号公報
【発明の概要】
【発明が解決しようとする課題】
【０００７】
しかし、上記特許文献１の構成によれば、空気噴出ノズルは複数箇所に設けられているものの、内筒の外表面にスポット的に圧縮空気が作用することになり、内筒の外表面の全体に亘る付着物等の剥離効果が期待できない。また、内筒の外表面の広い範囲に圧縮空気を作用させるためには、空気噴射ノズルの数や空気圧縮機の容量を増加せねばならず、空気噴出ノズルや空気圧縮機の容量増加分に伴う設備費用が嵩むので経済的ではない。
【０００８】
本発明は以上の事情に鑑みてされたものであり、その目的は、既存の外熱式ロータリーキルンの設備を利用して、内筒の外表面へのダストの付着を抑制し、また、内筒の外表面の付着物等を除去することにある。
【課題を解決するための手段】
【０００９】
本願の発明者らは、内筒の外表面にダストが付着する現象（堆積も含む）は、外筒と内筒との間に導入される高温ガスのダスト濃度と流量とに関連していると考えている。この観点に基づけば、内筒の外表面に付着しているダストを吹き飛ばすための方策として、高温ガスの流量を増やす方法と、高温ガスのダスト濃度を下げる方法とが考えられる。
【００１０】
高温ガスの流量を増やす方法では、ダストが付着したときよりも多い流量の高温ガスを内筒と外筒の間に流せばよい。しかし、高温ガスの流量が増大すると、系の熱量バランスが乱れ、ロータリーキルンの運転が不安定となる恐れがある。また、高温ガスの流量を増大させるために、ファンが大型化するため、経済的ではない。
【００１１】
高温ガスのダスト濃度を下げる方法では、ダストが付着したときよりもダスト濃度の低い高温ガスを内筒と外筒の間に流せばよい。しかし、高温ガスのダスト濃度の低減だけでは、付着物等の高い剥離効果は見込めない。
【００１２】
そこで、本発明の一態様に係るロータリーキルンの運転方法は、
同心状に配置された内筒と外筒とを有し、前記内筒と前記外筒の間に形成された加熱流路を流れる高温ガスによって前記内筒内を通過する被処理物が間接的に加熱されて熱分解ガスと熱分解残渣とに熱分解し、前記熱分解ガスを燃焼炉で燃焼して生じたガスが前記高温ガスとして前記加熱流路に供給される、ロータリーキルンの運転方法であって、
前記ロータリーキルンの連続する定常運転の間に前記内筒の外表面の付着物及び／又は堆積物を除去するためのリフレッシュ運転を行い、
前記リフレッシュ運転において、前記加熱流路のガス出口の前記高温ガスのノルマル流量を前記定常運転時の値又はその値から所定の範囲内に維持しながら、前記定常運転時に前記加熱流路を流れる前記高温ガスよりも温度が高く且つダスト濃度が低いフレッシュガスを、所定のリフレッシュ時間に亘って前記加熱流路へ流すことを特徴としている。
【００１３】
上記ロータリーキルンの運転方法の前記リフレッシュ運転において、前記加熱流路のガス出口の前記高温ガスのノルマル流量、及び、前記加熱流路のガス入口の前記高温ガスの温度を前記定常運転時の値又はその値から所定の範囲内に維持しながら、前記ロータリーキルンへの前記被処理物の供給を中断し、前記被処理物の供給を中断してから前記被処理物の前記ロータリーキルンにおける滞留時間が経過し、更に、所定のリフレッシュ時間が経過してから、前記被処理物の供給を再開してよい。
【００１４】
また、本発明の別の一態様に係るロータリーキルンは、
同心状に配置された内筒と外筒とを有し、前記内筒と前記外筒の間に高温ガスが流れる加熱流路が形成された炉本体と、
前記内筒内へ被処理物を供給する供給装置と、
前記炉本体で前記被処理物の熱分解により生じた熱分解ガスを、燃焼炉へ燃料として送る熱分解ガスラインと、
前記燃焼炉で生じた燃焼ガスを前記高温ガスとして前記加熱流路のガス入口へ送る高温ガス供給ラインと、
前記加熱流路のガス入口へ供給される前記高温ガスの温度を検出する入口温度センサと、
前記加熱流路のガス入口へ供給される前記高温ガスの温度を調整する温度調整装置と、
前記加熱流路のガス出口から排出される前記高温ガスの温度を検出する出口温度センサと、
前記加熱流路のガス出口から排出される前記高温ガスの流量を検出する流量センサと、
前記加熱流路のガス出口から前記高温ガスを強制排気するファンと、
前記供給装置、前記温度調整装置、及び前記ファンの動作を制御するコントローラとを備え、
前記コントローラは、連続する定常運転の間に前記内筒の外表面の付着物及び／又は堆積物を除去するためのリフレッシュ運転を行い、前記リフレッシュ運転において、前記加熱流路のガス出口の前記高温ガスのノルマル流量が前記定常運転時の値又はその値から所定の範囲内を維持するように前記出口温度センサ及び前記流量センサの検出値に基づいて前記ファンを動作させ、前記加熱流路のガス入口の前記高温ガスの温度が前記定常運転時の値を維持するように前記入口温度センサの検出値に基づいて前記温度調整装置を動作させ、前記炉本体への前記被処理物の供給を中断し、前記被処理物の供給を中断してから前記被処理物の前記炉本体における滞留時間が経過し、更に、所定のリフレッシュ時間が経過してから、前記被処理物の供給を再開するように前記供給装置を動作させるように構成されていることを特徴としている。
【００１５】
上記のロータリーキルン及びロータリーキルンの運転方法によれば、リフレッシュ運転時の加熱流路には、定常運転時よりも高い温度で、且つ、ダスト濃度が低い高温ガス（即ち、フレッシュガス）が流れる。リフレッシュ運転時と定常運転時とで加熱流路から排出される高温ガスのノルマル流量は同じであるが、リフレッシュ運転時では定常運転時と比較して温度が高いため実流量は多い。従って、リフレッシュ運転時には、定常運転時と比較して、実流量が多く且つダスト濃度が低い高温ガス（即ち、フレッシュガス）が加熱流路を流れることとなる。この高温ガスの流れによって、定常運転時に内筒の外表面に付着したダストは吹き飛ばされ、また、内筒の外表面に付着しようとしているダストは高温ガスの流れに乗って加熱流路から排出される。このように、上記のロータリーキルン及びロータリーキルンの運転方法によれば、既存の外熱式ロータリーキルンの設備を利用して、内筒の外表面へのダストの付着を抑制し、また、内筒の外表面の付着物等を除去することができる。
【発明の効果】
【００１６】
本発明によれば、既存の外熱式ロータリーキルンの設備を利用して、内筒の外表面へのダストの付着を抑制し、また、内筒の外表面の付着物等を除去することができる。
【図面の簡単な説明】
【００１７】
【図１】図１は、本発明の一実施形態に係るロータリーキルンの全体的な構成を示す図である。
【図２】図２は、リフレッシュ運転中の加熱流路のガス入口及びガス出口の高温ガスの温度の変化を表す図表である。
【発明を実施するための形態】
【００１８】
次に、図面を参照して本発明の実施の形態を説明する。図１は、本発明の一実施形態に係る本発明のロータリーキルン１００の概略構成を示す図である。
【００１９】
図１に示すように、本実施形態に係る外熱式のロータリーキルン１００は、外熱式の炉本体１と、ロータリーキルン１００の動作を制御するコントローラ３などとを備えている。ロータリーキルン１００には、発生する熱分解ガス８を燃焼する燃焼炉２が隣設されている。
【００２０】
ロータリーキルン１００の炉本体１は、長手方向の一端を入口１ａとし且つ他端を出口１ｂとし、入口１ａ側より出口１ｂ側へ或る角度、たとえば、約３度下方へ傾斜させた状態で横向きに配置されている。
【００２１】
炉本体１の入口１ａには、投入ホッパ４１を備えた供給装置４が設けられている。供給装置４は、例えば、スクリューフィーダであってよい。
【００２２】
また、炉本体１の出口１ｂには、熱分解ガス８と熱分解残渣９を分離して取り出すための分離室７が設けられている。分離室７の頂部には、熱分解ガス出口２２が設けられており、この熱分解ガス出口２２は熱分解ガスライン２４を通じて燃焼炉２と接続されている。また、分離室７の底部には、熱分解残渣回収口２３が設けられている。
【００２３】
炉本体１は、内筒１８と、その外側に同心状に配置された外筒２１とからなる、二重筒構造を有する。本実施形態においては、内筒１８は一本であるが、内筒１８は複数であってもよい。内筒１８と外筒２１は、図示しない駆動機構により一体的に回転駆動される。
【００２４】
内筒１８は、入口１ａ側に供給管１９が、出口１ｂ側に排出管２０が、それぞれ接続されている。供給装置４は、被処理物６の出口が供給管１９の内側に挿入されるように配置されており、供給装置４によって投入ホッパ４１内の被処理物６が内筒１８内へ供給される。
【００２５】
内筒１８と外筒２１との間には、高温ガスが通過する加熱流路１０が形成されている。この加熱流路１０を通過する高温ガスによって、内筒１８を通過する被処理物６（例えば、廃棄物）が間接的に加熱される。
【００２６】
加熱流路１０のガス入口１０ａは炉本体１の出口１ｂ側部分に設けられ、加熱流路１０のガス出口１０ｂは炉本体１の入口１ａ側部分に設けられている。加熱流路１０のガス入口１０ａは、高温ガス供給ライン１３を介して、燃焼炉２と接続されている。高温ガス供給ライン１３には、燃焼炉２から加熱流路１０のガス入口１０ａへ送られる高温ガスの流量を調節する流量調整弁１６が設けられている。また、高温ガス供給ライン１３においてガス入口１０ａの近傍には、加熱流路１０のガス入口１０ａへ送られる高温ガスの温度を検出する入口温度センサ１７が設けられている。
【００２７】
一方、加熱流路１０のガス出口１０ｂには、高温ガス循環ファン３８を備えた高温ガス循環ライン３７の上流側端部が接続されている。高温ガス循環ファン３８の設計風量は、定常運転時の風量（定常風量）に設計余裕を加えた値である。設計余裕は、定常風量の１０〜２０％であってよい。
【００２８】
高温ガス循環ライン３７の下流側端部は、燃焼炉２と接続されている。高温ガス循環ライン３７には、加熱流路１０のガス出口１０ｂから排出された高温ガスの温度を検出する出口温度センサ３２が設けられている。また、高温ガス循環ライン３７において燃焼炉２の近傍には、燃焼炉２へ戻される高温ガスの流量を検出する流量センサ３９が設けられている。
【００２９】
更に、高温ガス循環ライン３７の高温ガス循環ファン３８よりも下流側には、高温ガス戻しライン３３の上流側端部が接続されており、この高温ガス戻しライン３３の下流側端部は高温ガス供給ライン１３と接続されている。この高温ガス戻しライン３３を通じて、加熱流路１０のガス出口１０ｂから排出された高温ガスをガス入口１０ａへ戻すことができる。高温ガス戻しライン３３には、加熱流路１０のガス出口１０ｂからガス入口１０ａへ戻される高温ガスの流量と、加熱流路１０のガス出口１０ｂから燃焼炉２へ還流する高温ガスの流量とを調整する流量調整弁３４が設けられている。
【００３０】
コントローラ３は、入口温度センサ１７、出口温度センサ３２、及び流量センサ３９などの検出値に基づいて、供給装置４、高温ガス循環ファン３８、流量調整弁１６、及び流量調整弁３４などの動作を制御する。
【００３１】
コントローラ３は、いわゆるコンピュータであって、プロセッサと、メモリ及び通信インターフェイスなどとを備えている（いずれも図示略）。メモリは、各種のＲＡＭ、ＲＯＭ、フラッシュメモリ、ハードディスクなどによって実現されてよい。メモリには、プロセッサによって実行される、ＯＳ、各種の制御プログラム、並びにプロセッサによって読み出される各種データを格納する。通信インターフェイスは、プロセッサによって制御されることによって、無線又は有線の通信手段を利用して、供給装置４、高温ガス循環ファン３８、流量調整弁１６、及び流量調整弁３４などとデータを送受信し、また、入口温度センサ１７、出口温度センサ３２、及び流量センサ３９から検出信号を受信する。
【００３２】
プロセッサは、メモリに記憶されている各種のプログラムを実行することによって、各種の処理を実行する。換言すれば、コントローラ３における処理は、各ハードウェアおよびプロセッサにより実行されるソフトウェアによって実現される。このようなソフトウェアは、メモリ又は他の記憶媒体に予め記憶されている。
【００３３】
〔ロータリーキルン１００の定常運転時の動作〕
ここで、上記構成のロータリーキルン１００の定常運転時の動作を説明する。
【００３４】
加熱流路１０のガス入口１０ａには、燃焼炉２で発生した燃焼ガスが高温ガス供給ライン１３を通じて供給され、この高温ガスが加熱流路１０を流れている。加熱流路１０のガス入口１０ａに供給される高温ガスが所定の入口温度（例えば、５５０℃）となるように、コントローラ３は、入口温度センサ１７の検出値に基づいて、流量調整弁１６，３４の動作を制御する。ここで、流量調整弁１６，３４は、加熱流路１０のガス入口１０ａへ供給される高温ガスの温度を調整する温度調整装置として機能する。
【００３５】
加熱流路１０のガス出口１０ｂから排出された高温ガスは、高温ガス循環ファン３８の稼働により、一部分が高温ガス循環ライン３７を通じて燃焼炉２へ戻され、残部が高温ガス循環ライン３７、高温ガス戻しライン３３、及び高温ガス供給ライン１３を通じて、加熱流路１０のガス入口１０ａへ戻される。加熱流路１０のガス出口１０ｂから排出される高温ガスのノルマル流量が所定の値となるように、コントローラ３は、出口温度センサ３２の検出値に基づいて、高温ガス循環ファン３８の動作を制御する。
【００３６】
内筒１８内には、供給装置４の動作により、投入ホッパ４１内の被処理物６が供給されている。被処理物６は、回転する内筒１８内を分離室７へ向けて移動するうちに、加熱流路１０を通過する高温ガスによって間接的に加熱されて、熱分解ガス８と熱分解残渣９に熱分解する。
【００３７】
分離室７は、被処理物６の熱分解によって生じた熱分解ガス８と熱分解残渣９を、排出管２０を通して一旦受け取り、気体である熱分解ガス８と固体である熱分解残渣９とを分離させる。熱分解ガス８は、分離室７の頂部の熱分解ガス出口２２から、熱分解ガスライン２４を通じて燃焼炉２へ送られ、燃料として利用される。一方、熱分解残渣９は、分離室７の底部の熱分解残渣回収口２３から排出され、回収される。
【００３８】
燃焼炉２は、ロータリーキルン１００から送られてきた熱分解ガス８を燃料として燃焼し、高温ガスを発生させる。燃焼炉２には、助燃バーナ２５と、炉内の温度を検出する温度センサ２６と、温度維持装置２７とが設けられている。温度維持装置２７は、温度センサ２６の検出値に基づいて、炉内が所定の炉内温度に維持されるように、助燃バーナ２５を動作させる。つまり、温度維持装置２７は、炉本体１から送られてくる熱分解ガス８の燃焼だけでは炉内が所定温度に満たないときには、助燃バーナ２５を燃焼させて炉内を所定の炉内温度まで上昇させる。
【００３９】
上記のロータリーキルン１００では、炉本体１の加熱流路１０をダストを伴う燃焼炉２の燃焼ガスが通過することから、内筒１８の外表面にダストが付着（又は、堆積）するおそれがある。そこで、ロータリーキルン１００では、所定間隔（例えば、半月ごと）で、内筒１８の外表面の付着物等を除去するためのリフレッシュ運転を行う。以下、ロータリーキルン１００のリフレッシュ運転時の動作を説明する。
【００４０】
〔ロータリーキルン１００のリフレッシュ運転時の動作〕
図２は、リフレッシュ運転中の加熱流路１０のガス入口１０ａ及びガス出口１０ｂの高温ガスの温度の変化を表す図表である。図２に示すように、コントローラ３は、連続する定常運転の間にリフレッシュ運転を行う。リフレッシュ運転の間隔は予めスケジュールされている。
【００４１】
コントローラ３は、定常運転からリフレッシュ運転に切り替えると、供給装置４を停止させて、被処理物６の供給を中断する。
【００４２】
なお、リフレッシュ運転の間、加熱流路１０のガス入口１０ａの高温ガスの温度は、定常運転時の値に維持される。つまり、コントローラ３は、入口温度センサ１７の検出値に基づいて、定常運転時と同じ入口温度となるように、温度調整装置（流量調整弁１６，３４）を動作させる。
【００４３】
また、リフレッシュ運転の間、加熱流路１０のガス出口１０ｂの高温ガスのノルマル流量は、定常運転時の値に維持される。つまり、コントローラ３は、出口温度センサ３２及び流量センサ３９の検出値に基づいて、加熱流路１０のガス出口１０ｂのノルマル流量が定常運転時と同じノルマル流量となるように、高温ガス循環ファン３８を動作させる。このように、定常運転とリフレッシュ運転とを通じて、系のノルマル流量の変動が抑えられることで、系のガス流量が安定し、その結果、安定した運転を維持することができる。但し、リフレッシュ運転の間の加熱流路１０のガス出口１０ｂのノルマル流量は、厳密に定常運転時と同じノルマル流量に維持される必要はなく、定常運転時の値から高温ガス循環ファン３８の風量が設計風量以下となる所定の範囲内での変動が許容されてもよい。
【００４４】
リフレッシュ運転の間、被処理物６の供給は中断しているが炉本体１での熱分解処理は継続している。そのため、被処理物６の供給を中断する前に最後に炉本体１に供給された被処理物６は、被処理物６の供給が中断してから被処理物６の既知の炉本体１における滞留時間Ｔ1が経過したときに熱分解ガス出口２２又は熱分解残渣回収口２３から排出される。従って、被処理物６の供給を中断してから滞留時間Ｔ1が経過したあとは、炉本体１内がパージされており、内筒１８内には被処理物６が残っていない状態となっている。
【００４５】
そして、コントローラ３は、被処理物６の供給を中断してから滞留時間Ｔ1が経過し、更に、所定のリフレッシュ時間Ｔ2が経過してから、リフレッシュ運転を終了して被処理物６の供給を再開する。リフレッシュ時間Ｔ2は、１時間以上３時間以内の時間であってよい。
【００４６】
上記のリフレッシュ運転において、炉本体１内がパージされたあとは、炉本体１から燃焼炉２へ送られる熱分解ガス８の量が殆どゼロまで減少する。そのため、燃焼炉２では、炉内を所定の炉内温度（例えば、８５０℃）に維持するために、助燃バーナ２５で補助燃料の燃焼が行われる。補助燃料の燃焼で発生する灰や塵などのダストの量は、熱分解ガス８の燃焼で発生するダストの量と比較して、著しく少ない。よって、炉本体１内がパージされたあとリフレッシュ時間Ｔ2が経過するまでの間は、燃焼炉２から加熱流路１０へ供給される高温ガスのダスト濃度は、定常運転時と比較して少ない。
【００４７】
また、リフレッシュ運転時は、炉本体１で処理される被処理物６の量が定常運転時より少ない又は殆ど無いことから、加熱流路１０を流れる高温ガスの吸熱反応が抑えられ、その結果、加熱流路１０を流れる高温ガスの温度が定常運転時と比較して高い。
【００４８】
つまり、リフレッシュ運転時（とりわけ、炉本体１内がパージされたあとリフレッシュ時間Ｔ2が経過するまでの間）の加熱流路１０には、定常運転時よりも高い温度且つダスト濃度の低い高温ガスが流れる。そのため、加熱流路１０のガス出口１０ｂの高温ガスのノルマル流量は定常運転時とリフレッシュ運転時とで同じであるが、加熱流路１０を流れる高温ガスの実流量はリフレッシュ運転時の方が多い。従って、リフレッシュ運転時の加熱流路１０には、定常運転時よりも実流量が多く且つダスト濃度が低い高温ガス（以下、「フレッシュガス」と称する場合がある）が流れる。この高温ガスの流れによって、定常運転時に内筒１８の外表面に付着したダストは吹き飛ばされる。なお、吹き飛ばされたダストを含む、内筒１８の外表面に付着しようとしているダストは、高温ガスに同伴してガス出口１０ｂから排出される。このようにして、リフレッシュ運転では、内筒１８の外表面に付着したダストを取り除き、また、内筒１８の外表面に付着しようとしているダストを加熱流路１０から排出することができる。
【００４９】
以上に説明したように、本実施形態のロータリーキルン１００の運転方法は、ロータリーキルン１００の連続する定常運転の間にリフレッシュ運転を行い、リフレッシュ運転において、加熱流路１０のガス出口１０ｂの高温ガスのノルマル流量、及び、加熱流路１０のガス入口１０ａの高温ガスの温度を定常運転時の値（又はその値から所定の範囲内）に維持しながら、ロータリーキルン１００への被処理物６の供給を中断し、被処理物６の供給を中断してから被処理物６のロータリーキルン１００における滞留時間Ｔ1が経過し、更に、所定のリフレッシュ時間Ｔ2が経過してから、被処理物の供給を再開する（即ち、リフレッシュ運転から定常運転に切り替える）ことを特徴としている。
【００５０】
同様に、本実施形態のロータリーキルン１００は、同心状に配置された内筒１８と外筒２１とを有し、内筒１８と外筒２１の間に高温ガスが流れる加熱流路１０が形成された炉本体１と、内筒１８内へ被処理物６を供給する供給装置４と、炉本体１で被処理物６の熱分解により生じた熱分解ガス８を、燃焼炉２へ燃料として送る熱分解ガスライン２４と、燃焼炉２で生じた燃焼ガスを高温ガスとして加熱流路１０のガス入口１０ａへ送る高温ガス供給ライン１３と、加熱流路１０のガス入口１０ａへ供給される高温ガスの温度を検出する入口温度センサ１７と、加熱流路１０のガス入口１０ａへ供給される高温ガスの温度を調整する温度調整装置（流量調整弁１６，３４）と、加熱流路１０のガス出口１０ｂから排出される高温ガスの温度を検出する出口温度センサ３２と、加熱流路１０のガス出口１０ｂから排出される高温ガスの流量を検出する流量センサ３９と、加熱流路１０のガス出口１０ｂから高温ガスを強制排気するファン３８と、供給装置４、温度調整装置（流量調整弁１６，３４）、及びファン３８の動作を制御するコントローラ３とを備えている。
【００５１】
そして、上記ロータリーキルン１００は、コントローラ３が、連続する定常運転の間にリフレッシュ運転を行い、リフレッシュ運転において、加熱流路１０のガス出口１０ｂの高温ガスのノルマル流量が定常運転時の値を維持するように出口温度センサ３２及び流量センサ３９の検出値に基づいてファン３８を動作させ、加熱流路１０のガス入口１０ａの高温ガスの温度が定常運転時の値（又はその値から所定の範囲内）を維持するように入口温度センサ１７及び流量センサ３９の検出値に基づいて温度調整装置（流量調整弁１６，３４）を動作させ、炉本体１への被処理物６の供給を中断し、被処理物６の供給を中断してから被処理物６の炉本体１における滞留時間Ｔ1が経過し、更に、所定のリフレッシュ時間Ｔ2が経過してから、被処理物６の供給を再開するように供給装置４を動作させることを特徴としている。
【００５２】
上記ロータリーキルン１００及びその運転方法によれば、リフレッシュ運転時の加熱流路１０には、定常運転時よりも高い温度で、且つ、ダスト濃度が低い高温ガス（即ち、フレッシュガス）が流れる。リフレッシュ運転時と定常運転時とで加熱流路１０から排出される高温ガスのノルマル流量は同じである（又は微増する）が、リフレッシュ運転時では定常運転時と比較して温度が高いため実流量は多い。従って、リフレッシュ運転時には、定常運転時と比較して、実流量が多く且つダスト濃度が低い高温ガス（即ち、フレッシュガス）が加熱流路１０を流れることとなる。この高温ガスの流れによって、定常運転時に内筒１８の外表面に付着したダストは吹き飛ばされ、また、内筒１８の外表面に付着しようとしているダストは高温ガスの流れに乗って加熱流路１０から排出される。このように、上記のロータリーキルン１００及びロータリーキルン１００の運転方法によれば、既存の外熱式ロータリーキルンの設備を利用して、内筒１８の外表面へのダストの付着を抑制し、また、内筒１８の外表面の付着物等を除去することができる。
【００５３】
以上に本発明の好適な実施の形態を説明したが、本発明の精神を逸脱しない範囲で、上記実施形態の具体的な構造及び／又は機能の詳細を変更したものも本発明に含まれ得る。上記の構成は、例えば、以下のように変更することができる。
【００５４】
例えば、上記実施形態に係るロータリーキルン１００では、リフレッシュ運転において被処理物６の供給の中断と再開の指令をコントローラ３が供給装置４に出力するが、オペレータが図示しない操作具を用いて被処理物６の供給の中断と再開の指令を供給装置４に入力してもよい。
【００５５】
また、例えば、上記実施形態に係るロータリーキルン１００では、加熱流路１０のガス入口１０ａの高温ガスの温度が定常運転とリフレッシュ運転とを通じて一定に維持されるが、温度調整装置（流量調整弁１６，３４）によってリフレッシュ運転時の加熱流路１０のガス入口１０ａの高温ガスの温度が定常運転時よりも高くなるように高温ガスの温度が調整されてもよい。この場合、リフレッシュ運転時の加熱流路１０を流れる高温ガス（フレッシュガス）は、定常運転時よりも高温で膨張しているので、定常運転時と比較して実流量が大きく、ダスト濃度も僅かであるが低下している。
【００５６】
つまり、本発明に係るロータリーキルンの運転方法は上記実施形態に限らず、ロータリーキルンの連続する定常運転の間にリフレッシュ運転を行い、そのリフレッシュ運転において、加熱流路１０のガス出口１０ｂの高温ガスのノルマル流量を定常運転時の値（又はその値から所定の範囲内）に維持しながら、定常運転時に加熱流路１０を流れる高温ガスよりも温度が高く且つダスト濃度が低いフレッシュガスを、所定のリフレッシュ時間に亘って加熱流路１０へ流すものであればよい。
【符号の説明】
【００５７】
１００  ロータリーキルン
１  炉本体
２  燃焼炉
３  コントローラ
４  供給装置
６  被処理物
７  分離室
８  熱分解ガス
９  熱分解残渣
１０  加熱流路
１０ａ  ガス入口
１０ｂ  ガス出口
１３  高温ガス供給ライン
１６  流量調整弁
１７  入口温度センサ
１８  内筒
１９  供給管
２０  排出管
２１  外筒
２２  熱分解ガス出口
２３  熱分解残渣回収口
２４  熱分解ガスライン
２５  助燃バーナ
２６  温度センサ
２７  温度維持装置
３２  出口温度センサ
３３  高温ガス戻しライン
３４  流量調整弁
３７  高温ガス循環ライン
３８  高温ガス循環ファン
３９  流量センサ
４１  投入ホッパ
【図１】
2018194275.tif 000003
【図２】
2018194275.tif 000004